(57)【要約】【課題】光を用いて非接触で回転体の回転数の測定が可能な測定器本体に、接触アダプタが着脱可能である回転計において、誤検出の発生を防止しつつ接触アダプタを小型のものにすることができる回転計を提供する。【解決手段】回転計１は、発光素子１１と受光素子１３とを備え、受光素子１３の出力に基づいて回転体５０に非接触で回転数を測定する測定器本体２は、接触アダプタ３が着脱可能であり、接触アダプタ３は、光反射壁４ａ，４ｂと回転検出軸５と回転板６とを備え、光反射壁４ａ，４ｂは、発光素子１１の照射光が光反射壁４ａで反射してさらに光反射壁４ｂで反射した反射光を受光素子１３が受光する光経路を形成する位置関係で配置されており、回転板６の光通過部２１及び遮光部２２は、回転板６が１回転する間に少なくとも１回、光通過部２１を通って光経路が形成されると共に、遮光部２２が光経路を遮光する位置関係で回転板６に形成されている。【選択図】図１
2012108022.tif 000002
【特許請求の範囲】
【請求項１】
測定対象の回転体に光照射する発光素子と、その照射光の該回転体からの反射光を受光する受光素子とを備え、該受光素子の出力する該反射光の検出信号に基づいて該回転体に非接触でその回転数を測定する測定器本体は、該回転体に接触させるための接触アダプタが着脱可能であり、
該接触アダプタは、一対の光反射壁と、該回転体に接触させてその回転と共に回転自在な回転検出軸と、該回転検出軸に連結された回転板とを備え、
該一対の光反射壁は、該発光素子の照射光が一方の光反射壁で反射してさらに他方の光反射壁で反射した反射光を該受光素子が受光する光経路を形成する位置関係で該接触アダプタに配置されており、
該回転板は、該一対の光反射壁よりも測定器本体側に配置されて該発光素子から光照射されると共に、光通過部及び遮光部を有し、
該光通過部及び遮光部は、該回転板が１回転する間に、少なくとも１回該光通過部を通って該光経路が形成されると共に、少なくとも１回該遮光部が該光経路を遮光する位置関係で該回転板に形成されていることを特徴とする回転計。
【請求項２】
前記回転板が透明板であり、該透明板の一部の領域に遮光塗料が塗布、又は遮光シートが貼付されて前記遮光部が形成されており、該透明板の残りの領域が光通過部になっていることを特徴とする請求項１に記載の回転計。
【請求項３】
前記遮光部が、前記透明板の半分の領域に形成されていることを特徴とする請求項２に記載の回転計。
【請求項４】
前記遮光部が、前記透明板の回転軸心を交点とする十文字型の領域に形成されていることを特徴とする請求項２に記載の回転計。
【請求項５】
前記回転板が非透明板であり、該非透明板の一部の領域に孔部、及び／又は切欠部が形成されて前記光通過部が形成されており、該非透明板自体が遮光部になっていることを特徴とする請求項１に記載の回転計。
【請求項６】
前記非透明板が、回転軸心を交点とする十文字型の形状に形成されていることを特徴とする請求項５に記載の回転計。
【請求項７】
前記一対の光反射壁が、前記測定器本体に向かって先広がりとなるように、互いの相対角度を９０度で対向させて配置されていることを特徴とする請求項１〜６のいずれかに記載の回転計。
【請求項８】
前記遮光部は、光の反射を防止する光反射防止性を有することを特徴とする請求項１〜７のいずれかに記載の回転計。
【請求項９】
前記測定器本体が、前記接触アダプタの着脱を検知するセンサを備え、該センサによる該接触アダプタの検知の有無、及び前記反射光の検出信号に基づいて前記回転体の回転数を測定することを特徴とする請求項１〜８のいずれかに記載の回転計。
【発明の詳細な説明】
【技術分野】
【０００１】
本発明は、接触アダプタの着脱により、接触、非接触のいずれでも回転体の回転数を測定可能な回転計に関するものである。
【背景技術】
【０００２】
測定器の一種である回転計は、回転ファン、ロール紙巻取り軸や各種装置の回転軸などのような回転体の回転数を測定するために用いられる。例えば、回転体の場所まで回転計を携帯し、その場で回転数の測定が行われる。このような回転計が例えば特許文献１に記載されている。
【０００３】
特許文献１に記載された回転計（回転数測定器）は、発光素子及び受光素子を本体部に備え、光を用いて非接触で回転体の回転数を測定可能なものである。さらにこの回転計は、測定器本体（本体部）に接触アダプタが着脱可能になっており、接触アダプタを装着することで回転体への接触で回転体の回転数が測定可能になっている。
【０００４】
同文献中の図３や図５の回転計では、接触アダプタの回転検出軸に光反射用回転板が連結されており、この回転板は、反射部と非反射部とに２分割されている。この回転計では、測定器本体の発光素子が回転板に光照射して、回転板で反射した反射光を受光素子が受光して回転数を測定する。
【０００５】
接触アダプタを用いずに非接触で離れた位置の回転体の回転数測定を行うためには、発光素子と受光素子とを、各々の光軸がほぼ平行になるように測定器本体に配置する必要がある。また、発光素子と受光素子との間隔は、素子形状等による物理的な制約や誤検出の防止のために、若干離して配置する必要がある。一方、接触アダプタを測定器本体に装着したときに、接触アダプタの回転板が測定器本体の直ぐ近くに配置されていると、発光素子と反射板とが近いため反射光は発光素子方向に反射して、受光素子に殆ど反射光が入らず（当たらず）、反射光の検出が難しくなる。受光素子の検出感度を高感度にすることも考えられるが、このようにすると反射光以外の光を反射光と誤検出してしまう要因となる。従って、接触アダプタを装着して測定可能とするために、回転板と測定器本体との距離を、反射光が受光素子に充分入るような距離まで離す必要がある。このため、接触アダプタが長くて大型のものになってしまうという課題がある。
【０００６】
また、同文献中の図１の回転計では、接触アダプタが、透光部と非透光部とに２分割された光透過用回転板を有し、この回転板を挟んで測定器本体の受光素子に対向する位置に発光素子が配されている。この回転計では、接触アダプタを装着しないときには測定器本体の発光素子を発光させ、接触アダプタを装着したときには接触アダプタ内の発光素子を発光させる。この構成では、回転板を測定器本体に近づけて配置することができるが、接触アダプタ内にも発光素子を配する必要があり、さらに本体部から接触アダプタにコネクタを介して電力を供給する必要がある。そのため、接触アダプタの構造が複雑になってしまい、接触アダプタが大型のものになってしまう。
【先行技術文献】
【特許文献】
【０００７】
【特許文献１】実公平６―１１４５１号公報
【発明の概要】
【発明が解決しようとする課題】
【０００８】
本発明は前記の課題を解決するためになされたもので、光を用いて非接触で回転体の回転数の測定が可能な測定器本体に、回転体への接触で回転数の測定を行うための接触アダプタが着脱可能である回転計において、誤検出の発生を防止しつつ接触アダプタを小型のものにすることができる回転計を提供することを目的とする。
【課題を解決するための手段】
【０００９】
前記の目的を達成するためになされた、特許請求の範囲の請求項１に記載された回転計は、測定対象の回転体に光照射する発光素子と、その照射光の該回転体からの反射光を受光する受光素子とを備え、該受光素子の出力する該反射光の検出信号に基づいて該回転体に非接触でその回転数を測定する測定器本体は、該回転体に接触させるための接触アダプタが着脱可能であり、該接触アダプタは、一対の光反射壁と、該回転体に接触させてその回転と共に回転自在な回転検出軸と、該回転検出軸に連結された回転板とを備え、該一対の光反射壁は、該発光素子の照射光が一方の光反射壁で反射してさらに他方の光反射壁で反射した反射光を該受光素子が受光する光経路を形成する位置関係で該接触アダプタに配置されており、該回転板は、該一対の光反射壁よりも測定器本体側に配置されて該発光素子から光照射されると共に、光通過部及び遮光部を有し、該光通過部及び遮光部は、該回転板が１回転する間に、少なくとも１回該光通過部を通って該光経路が形成されると共に、少なくとも１回該遮光部が該光経路を遮光する位置関係で該回転板に形成されていることを特徴とする。
【００１０】
請求項２に記載された回転計は、請求項１に記載されたもので、前記回転板が透明板であり、該透明板の一部の領域に遮光塗料が塗布、又は遮光シートが貼付されて前記遮光部が形成されており、該透明板の残りの領域が光通過部になっていることを特徴とする。
【００１１】
請求項３に記載された回転計は、請求項２に記載されたもので、前記遮光部が、前記透明板の半分の領域に形成されていることを特徴とする。
【００１２】
請求項４に記載された回転計は、請求項２に記載されたもので、前記遮光部が、前記透明板の回転軸心を交点とする十文字型の領域に形成されていることを特徴とする。
【００１３】
請求項５に記載された回転計は、請求項１に記載されたもので、前記回転板が非透明板であり、該非透明板の一部の領域に孔部、及び／又は切欠部が形成されて前記光通過部が形成されており、該非透明板自体が遮光部になっていることを特徴とする。
【００１４】
請求項６に記載された回転計は、請求項５に記載されたもので、前記非透明板が、回転軸心を交点とする十文字型の形状に形成されていることを特徴とする。
【００１５】
請求項７に記載された回転計は、請求項１〜６のいずれかに記載されたもので、前記一対の光反射壁が、前記測定器本体に向かって先広がりとなるように、互いの相対角度を９０度で対向させて配置されていることを特徴とする。
【００１６】
請求項８に記載された回転計は、請求項１〜７のいずれかに記載されたもので、前記遮光部は、光の反射を防止する光反射防止性を有することを特徴とする。
【００１７】
請求項９に記載された回転計は、請求項１〜８のいずれかに記載されたもので、前記測定器本体が、前記接触アダプタの着脱を検知するセンサを備え、該センサによる該接触アダプタの検知の有無、及び前記反射光の検出信号に基づいて前記回転体の回転数を測定することを特徴とする。
【発明の効果】
【００１８】
本発明による回転計によれば、発光素子及び受光素子を有する測定器本体に接触アダプタが着脱可能であり、接触アダプタには、発光素子の照射光が一方の光反射壁で反射してさらに他方の光反射壁で反射した反射光を受光素子が受光する光経路を形成する位置関係で一対の光反射壁が配置されると共に、一対の光反射壁よりも本体側に光通過部及び遮光部を有する回転板が配置されていることにより、発光素子の照射光が一対の光反射壁で反射して受光素子に確実に導かれるため、反射光の誤検出を防止しつつ、一対の光反射壁及び回転板を測定器本体に近づけて配置することができる。従って、接触アダプタの形状を小型にすることができる。
【００１９】
回転板として、透明板の一部の領域に遮光部を形成し、透明板の残りの領域を光通過部とする場合、形成する遮光部の形状の自由度を高くすることができると共に、回転バランスに優れた回転板とすることができる。
【００２０】
遮光部が透明板の半分の領域に形成されている場合、回転板が１回転するたびに１回、前記光経路が形成されて受光素子が反射光を受光するので、接触アダプタの有無で受光素子が受光する反射光の回数が変わらないため、測定器本体は接触アダプタの有無を考慮することなく回転体の回転数を測定することができる。
【００２１】
遮光部が透明板の回転軸心を交点とする十文字型の領域に形成されている場合、又は非透明板が十文字型に形成されている場合、回転板が１／４回転するたびに受光素子が反射光を受光するため、ゆっくりとした回転体の回転数を早く測定することができる。
【００２２】
回転板として、非透明板の一部の領域に孔部、及び／又は切欠部を形成して光通過部を形成し、非透明板自体が遮光部になっている場合、回転板の一部にだけ遮光塗料等を塗布する手間がかからず、孔部等は金属板の打ち抜きや樹脂板の一体成型で形成できるので、回転板を簡便に製造することができる。
【００２３】
一対の光反射壁が、測定器本体に向かって先広がりとなるように、互いの相対角度を９０度で対向させて配置されている場合、照射光と反射光とが平行になるので、発光素子、受光素子、及び接触アダプタの配置を簡便に規定することできる。
【００２４】
遮光部は、光の反射を防止する光反射防止性を有する場合、遮光部により遮光された照射光の反射が防止されるので、この反射光による誤検出を防止することができる。
【００２５】
測定器本体が、接触アダプタの着脱を検知するセンサを備えることで、接触アダプタの有無によって回転体が１回転する間に受光素子が受光する反射光の回数が異なる場合、測定器本体が自動的にこの回数を切り替えて回転数を算出するため、回転数を簡便に測定することができる。
【図面の簡単な説明】
【００２６】
【図１】本発明を適用する回転計の使用状態を示すブロック図である。
【図２】図１の回転計に用いる接触アダプタを測定器本体側から見た正面図（ａ）、及び本発明を適用する他の回転計に用いる接触アダプタの正面図（ｂ）〜（ｄ）である。
【図３】本発明を適用する他の回転計に用いる接触アダプタ及び測定器本体の要部を示す斜視図である。
【発明を実施するための形態】
【００２７】
以下、本発明の実施形態を詳細に説明するが、本発明の範囲はこれらの形態に限定されるものではない。
【００２８】
本発明の回転計の好ましい形態について、図１を参照しつつ説明する。
【００２９】
回転計１の測定器本体２は、接触アダプタ３が着脱可能であり、同図に示すように接触アダプタ３を装着したときに、測定対象の回転体５０への接触で回転体５０の回転数を測定可能なものである。また、測定器本体２は、接触アダプタ３を離脱したときに、光を用いて非接触で回転体５０の回転数を測定可能なものである。なお、非接触で測定を行う場合には、回転体５０に光反射テープ５１を貼り付けて測定を行う。
【００３０】
測定器本体２は、発光素子１１、点灯回路１２、受光素子１３、受光回路１４、測定部１５、及び表示部１６を備えている。発光素子１１は、一例として発光ダイオードであり、接触アダプタ３の非装着時に測定対象の回転体５０に光照射し、接触アダプタ３の装着時に後述する接触アダプタ３の回転板６に光照射するものである。発光素子１１は、点灯回路１２を介して測定部１５に点灯制御されて、点灯、又は必要に応じて点滅が可能になっている。点灯回路１２は、発光素子１１を所定の輝度で発光させる。
【００３１】
受光素子１３は、一例としてフォトトランジスタやフォトダイオードのような光電変換素子であり、受光した光の強度に応じた電気的な検出信号を出力するものである。受光素子１３は、受光回路１４を介して測定部１５に接続されている。受光素子１３は、接触アダプタ３の非装着時に発光素子１１の照射光が回転体５０で反射して、その反射光を受光可能な位置に配されると共に、接触アダプタ３の装着時に後述する光反射壁４ｂからの反射光を受光可能な位置に配されている。具体的には、発光素子１１及び受光素子１３は、同図に示すように、所定間隔で発光素子１１の光軸（照射方向）と受光素子１３の光軸（受光方向）とがほぼ平行になるように測定器本体２に固定されている。
【００３２】
受光回路１４は、受光素子１３の駆動回路、及び増幅器や比較器で構成されて、一例として、受光素子１３が反射光として有効な強度の光を受光しているときにハイレベル信号を出力し、反射光無しのときにローレベル信号を出力する。
【００３３】
表示部１６は、一例として液晶パネルであり、測定部１５に接続されていて測定した回転数をデジタル表示する。
【００３４】
測定部１５は、中央処理装置（ＣＰＵ）やその動作用プログラムを記憶する半導体メモリ、及び各部とのインタフェース回路（何れも非図示）などを備えており、測定器本体２の動作を統括的に制御して、回転数の測定を行う。
【００３５】
接触アダプタ３は、図１に示すように、一対の光反射壁４ａ，４ｂ、回転検出軸５、及び回転板６を備えている。
【００３６】
一対の光反射壁４ａ，４ｂは、一例として鏡、金属光沢を有する軽金属板、又は鍍金した樹脂板等のように光を反射可能に形成されたものであり、接触アダプタ３の非図示の筐体ケースに固定されている。この一対の光反射壁４ａ，４ｂは、発光素子１１の照射光が一方の光反射壁４ａで反射してさらに他方の光反射壁４ｂで反射した反射光を受光素子１３が受光する光経路を形成する位置関係で接触アダプタ３に配置されている。この光経路を同図中に二点鎖線で示す。
【００３７】
具体的には、光反射壁４ａ，４ｂは、接触アダプタ３を測定器本体２に装着したときに、発光素子１１の光軸上に光反射壁４ａが位置し、受光素子１３の光軸上に光反射壁４ｂが位置するように接触アダプタ３に配置されている。このような位置関係になるように、接触アダプタ３は測定器本体２に位置決めされて装着される。また、光反射壁４ａ，４ｂは、測定器本体２に向かって先広がりとなるように、互いの相対角度を９０度で対向させて接触アダプタ３に配置されている。
【００３８】
回転検出軸５は、測定対象の回転体５０の中心部に接触させたときに、その回転と共に回転自在となるように非図示の軸受で支持されている。この回転検出軸５は、前記の光経路を妨げないように、光反射壁４ａと光反射壁４ｂとの間に位置しないように配置されている。回転検出軸５は、その先端部（図の左側）に、回転体５０の中心部に接触させ易くするために、一例として先端が円錐形状で表面がゴムで覆われた接触子８を有している。接触子８は、接触アダプタ３の筐体ケース（非図示）から外界側に突出している。
【００３９】
回転板６は、回転検出軸５の後端部（図の右側）に連結されていて、回転検出軸５と共に回転する。回転板６は、光反射壁４ａ，４ｂよりも測定器本体２側に配置されていて、発光素子１１から光照射される。この回転板６は、光通過部２１及び遮光部２２を有している。光通過部２１及び遮光部２２は、回転板６が１回転する間に少なくとも１回、光通過部２１を通って前記の光経路が形成されると共に、回転板６が１回転する間に少なくとも１回、遮光部２２が光経路を遮光する位置で回転板６に形成されている。
【００４０】
具体的には、図１及び図２（ａ）に示すように、回転板６は円板形状に形成されており、一例として、その半円領域が光を通過（透過）可能な光通過部２１になっており、残りの半円領域が光を遮光可能な遮光部２２になっている。この回転板６は、一例として、アクリル板、プラスチック板、又はガラス板などの透明な材質の板を基材として円板形状に形成されている。遮光部２２は、透明な回転板６の半円領域に光を遮光可能な一例として黒色の遮光塗料が塗布されて形成されており、塗布しない半円領域が光通過部２１になっている。なお、透明な回転板６に、半円形状の黒色の遮光シートを貼付して遮光部２２を形成してもよい。
【００４１】
遮光部２２は、遮光性を有するだけでなく、光の反射を防止可能な光反射防止性（光吸収性）を有していたほうが、遮光部２２で反射した光を受光素子１３が受光して誤検出してしまうことを確実に防止できるので好ましい。また、遮光部２２による光の反射防止の観点から、遮光部２２を、回転板６の測定器本体２側の面に遮光塗料を塗布して形成することが好ましく、回転板６の両面に遮光塗料を塗布して形成することがより好ましい。
【００４２】
次に、回転計１の動作について説明する。
【００４３】
最初に、接触アダプタ３を装着しない状態で、非接触で回転体５０の回転数を測定する場合について説明する。この場合、図１に示すように、回転体５０の一部に光反射テープ５１を予め貼り付けておく。
【００４４】
測定部１５が、点灯回路１２を制御して発光素子１１に光照射させる。この照射光が光反射テープ５１に当たると反射して、この反射光を受光素子１３が受光する。したがって、受光素子１３は、回転体が１回転するたびに１回、反射光を受光する。これにより、受光回路１４は、受光素子１３の出力する反射光の検出信号に基づいて、回転体が１回転するたびに１回検出パルスを出力する。
【００４５】
測定部１５は、検出パルスが回転体５０の１回転毎に１回出力されるものとして回転数を算出し、算出結果を表示部１６に表示させる。なお、回転数とは、１秒間又は１分間などの単位時間当たりの回転数や、測定期間内の総回転数である。このようにして、回転計１は、光を用いて回転体５０の回転数を非接触で測定することができる。
【００４６】
次に、接触アダプタ３を装着して、接触アダプタ３を回転体５０に接触させて回転数を測定する場合について説明する。
【００４７】
測定器本体２に接触アダプタ３を装着すると、発光素子１１の照射光は回転板６に照射される。接触アダプタ３の接触子８を回転体５０の中央部に接触させると、回転検出軸５及び回転板６が回転体５０と共に回転を開始する。この回転により、図１に示すように、発光素子１１及び受光素子１４の前に回転板６の光通過部２１が位置したときに二点鎖線で示す光経路が形成されて、光反射壁４ａ，４ｂで反射した反射光を受光素子１３が受光する。回転板６が回転して、発光素子１１及び受光素子１３の少なくとも一方の前に遮光部２２が位置すると、遮光部２２により前記の光経路が遮光されるので、受光素子１３は反射光を受光しない。したがって、受光素子１３は、回転板６が１回転するたびに１回、反射光を受光して検出信号を出力する。これにより、受光回路１４は、回転体が１回転するたびに１回検出パルスを出力し、測定部１５が回線数を算出して表示部１６に表示させる。このようにして、回転計１は、接触アダプタ３を装着して回転体５０の回転数を接触により測定することができる。
【００４８】
このように、発光素子１１の照射光が、光反射壁４ａ，４ｂによる反射で受光素子１３に導かれるため、光反射壁４ａ，４ｂ及び回転板６を測定器本体１のすぐ近くに配置することができる。したがって、接触アダプタ３の形状を、短く小型のものにすることができる。このため、接触アダプタ３の機械的強度を高くすることができる。
【００４９】
なお、光通過部２１及び遮光部２２の形状や数を適宜変更して、回転板６が１回転する間に光通過部２１を通って前記の光経路が形成される回数、つまり遮光部２２が光経路を遮光する回数を適宜変更することができる。例えば、図２（ｂ）の回転板６ａに示すように、透明な円板に、回転軸心を交点とする十文字型の遮光部２２ａを形成し、円板の残りの４つの領域を光通過部２１ａとしてもよい。この場合には、回転板６ａが１回転する間に、遮光部２２ａが光経路を４回遮光して、受光素子１３は光反射壁４ａ，４ｂによる反射光を４回受光する。測定部１５は、この回転板６ａを有する接触アダプタ２が装着されたときには、１／４回転ごとに１回、受光素子１３が反射光の検出信号を出力するものとして回転数を算出する。このような回転板６ａを用いることで、回転体５０が１回転しなくても回転数を算出することができるので、例えばゆっくり回転する回転体５０の回転数を早く測定することができる。
【００５０】
この回転板６ａの場合、測定器本体２への接触アダプタ３の装着の有無で、回転体５０が１回転する間に受光素子１３が反射光を受光する回数が異なるので、例えば、図１の測定器本体２に破線で示すように、接触アダプタ２の着脱を検知するためのセンサ１７を配置してもよい。
【００５１】
センサ１７は、例えばリミットスイッチなどの押しボタンスイッチであり、接触アダプタ３の装着位置に配置されている。この押しボタン式のセンサ１７は、接触アダプタ３が装着されると押しボタンが押下されて接信号が測定部１５に出力され、接触アダプタ３が離脱されると、押しボタンが戻って断信号が測定部１５に出力される。なお、センサ１７としては、接触アダプタ３に磁石を配置しておき、この磁気の検知により接触アダプタ３の着脱を検知する磁気センサを用いることもできる。
【００５２】
測定部１５は、センサ１７による接触アダプタ３の検知の有無、及び反射光の検出信号に基づいて回転体５０の回転数を測定する。具体的には、測定部１５は、センサ１７により接触アダプタ２を検知しないときには１回転に１回、検知したときには１／４回転に１回、受光素子１３が反射光を受光するものとして回転数を算出する。なお、測定器本体２にセンサ１７を設けずに、接触アダプタ３の有無を測定者が手動で設定可能な設定ボタン等の設定手段を測定器本体２に設けてもよい。この場合、測定器本体２は、この手動による設定に基づいて、回転体５０が１回転で何回反射光を受光するかを判別し、回転体５０の回転数を算出する。
【００５３】
また、図２（ｃ）に示すように、アルミニウムなどの軽金属板や非透明な樹脂板などの非透明板を基材として回転板６ｂを形成してもよい。この場合、光経路が通るように非透明板の一部の領域に孔部を形成して、この孔部を光通過部２１ｂとする。具体的には、同図に示すように、回転板６ｂが所定の回転位置で、光反射部４ａにちょうど対向する回転板６ｂの領域と、光反射部４ｂにちょうど対向する回転板６ｂの領域とに、各々孔部を形成し、この２つの孔部を光通過部２１ｂとする。この回転板６ｂは、非透明板自体が遮光部２２ｂになっている。図２（ａ）の回転板６を、回転板６ｂに換えても、回転板６を用いた場合と同様にして回転数を測定することができる。図２（ａ），（ｃ）では、回転板６，６ｂが円板である例を示したが、四角板などのように形状は適宜変更してもよい。
【００５４】
また、図２（ｄ）に示すように、非透明板を基材として、回転板の回転軸心を交点とする十文字型の形状に回転板６ｃを形成してもよい。この場合、回転板６ｃを十文字型に形成するために直角に切り欠いた４つの切欠部が光通過部２１ｃになり、回転板６ｃ自体が遮光部２２ｃになっている。図２（ｂ）の回転板６ａを、回転板６ｃに換えても、回転板６ａを用いた場合と同様にして回転数を測定することができる。
【００５５】
図２（ｃ），（ｄ）の回転板６ｂ，６ｃの測定器本体２側の面に、光の反射を防止するための例えば黒色の反射防止剤を塗布することが、反射光の誤検出防止の観点から好ましい。また、非透明板を基材として用いて、任意の形状や数の孔部及び／又は切欠部を組み合わせて光通過部や遮光部を形成してもよい。
【００５６】
また、図１に示すように、光反射壁４ａ，４ｂの対向する相対角度を９０度で形成すると、照射光と反射光とが平行になるので、光反射壁４ａ，４ｂ、発光素子１１、及び受光素子１３の位置を設定しやすく好ましいが、受光素子１３が光反射壁４ａ，４ｂによる反射光を受光可能であれば、この光反射壁４ａ，４ｂの相対角度は９０度よりも広角にしたり、狭角にしたりすることができる。図３に、相対角度を９０度よりも広角にした例を示す。同図に示すように、受光素子１３の位置を図１よりも外側の位置に配置することで、受光素子１３は反射光を受光することができる。このように、受光素子１３が反射光を受光可能であれば、光反射壁４ａ，４ｂの相対角度、発光素子１１や受光素子１３の位置関係、さらに発光素子１１や受光素子１３の光軸の方向を、適宜変更してもよい。
【符号の説明】
【００５７】
１は回転計、２は測定器本体、３は接触アダプタ、４ａは一方の光反射壁、４ｂは他方の光反射壁、５は回転検出軸、６・６ａ・６ｂ・６ｃは回転板、８は接触子、１１は発光素子、１２は点灯回路、１３は受光素子、１４は受光回路、１５は測定部、１６は表示部、１７はセンサ、２１・２１ａ・２１ｂ・２１ｃは光通過部、２２・２２ａ・２２ｂ・２２ｃは遮光部、５０は回転体、５１は光反射テープである。
【図１】
2012108022.tif 000003
【図２】
2012108022.tif 000004
【図３】
2012108022.tif 000005